(57)【要約】【課題】おみくじやお守りに含まれる立体的な小物を保護でき、小型で携帯性や美観に優れ、かつ手頃な値段で、おみくじ及びお守りの容器を提供する。【解決手段】おみくじ及びお守り容器１０〜４０は、有底の円筒状又は多角筒状の主筒１１〜４１と、該主筒の開口を開閉する円筒状又は多角筒状の蓋筒１２〜４２とを備えた紙製の容器である。また、主筒１１〜４１を蓋筒１２〜４２で閉じた後のおみくじ及びお守り容器１０〜４０の高さは、１０ｃｍ以下、底面の面積が２平方ｃｍ以下であることが好ましい。さらに、おみくじ及びお守り容器１０〜４０の主筒１１〜４１を蓋筒１２〜４２は、和紙で装飾が施されていることが好ましい。【選択図】図１
0003192563.tif 000002
【実用新案登録請求の範囲】
【請求項１】
有底の円筒状又は多角筒状の主筒と、該主筒の開口を開閉する円筒状又は多角筒状の蓋筒とを備えた紙製のおみくじ及びお守り容器。
【請求項２】
請求項１に記載のおみくじ及びお守り容器において、前記主筒を前記蓋筒で閉じた後のおみくじ及びお守り容器の高さが１０ｃｍ以下、底面の面積が２平方ｃｍ以下であることを特徴とするおみくじ及びお守り容器。
【請求項３】
請求項１又は２に記載のおみくじ及びお守り容器の主筒と蓋筒は、和紙で装飾が施されていることを特徴とするおみくじ及びお守り容器。
【考案の詳細な説明】
【技術分野】
【０００１】
本考案は、おみくじ及びお守りの容器に関する。
【背景技術】
【０００２】
神社等で販売されるおみくじは多様化しており、単に運勢を占うだけではなく、購入後にアクセサリーやお守りとして持ち帰りたくなるようなおみくじが増えている。また、お守りに関しても、布袋に入っているものだけはなく、天然石や鈴、小型の動物模型など、様々なお守りがある。お守りは、かばんや財布などに入れて常に身につけるようにすることが好ましいとされているが、無くしてしまうことも多い。近年、お守りを無くさないようにするために、お守りを入れる袋や容器にも趣向を凝らしたものが増えてきた。
【０００３】
特許文献１には、太陽光線に当たると変色する白糸を使用して織られた織物を使用し、日中に色彩鮮やかな模様やケース体の存在を視認することができ、かつ色彩の退色を防止し、模様の変色のあるお守り入れケースが開示されている。このお守りケースによってお守りの存在が知られ、また、変色する模様を楽しむことができる。
【０００４】
特許文献２には、天然石を組み込んだおみくじが開示されている。天然石は不思議なパワーを持つとされていることから、運勢と天然石の説明が記載された紙と共に持ち帰ってお守りとすることができる。また、天然石を入れる専用の袋も付いていることから、天然石を袋に入れて身につけることができる。
【先行技術文献】
【特許文献】
【０００５】
【特許文献１】実用新案登録第３０９５５８１号公報
【特許文献２】実用新案登録第３０９５９６４号公報
【考案の概要】
【考案が解決しようとする課題】
【０００６】
上記のようにおみくじやお守りが多様化し、その袋や容器も工夫が凝らされているものが増えている。しかし、おみくじやお守りに含まれる立体的な小物（天然石や鈴、動物模型など）を保護するような立体的なケースで、かつ趣向が凝らされたものは、多くない。おみくじやお守りに含まれる立体的な小物は、鎖や紐をつけてネックレスやキーホルダーにして無くさないように身につける工夫もされているが、立体的な小物は壊れやすい場合も多い。また、堅い小物は、キーホルダー等にして持ち歩くと、周囲の物（鞄など）を傷つけてしまうこともある。
【０００７】
本考案は、上記事情を鑑みてなされたものであり、おみくじやお守りに含まれる立体的な小物を保護でき、小型で携帯性や美観に優れ、かつ手頃な値段で、おみくじ及びお守りの容器を提供することを目的とする。
【課題を解決するための手段】
【０００８】
本考案の１は、有底の円筒状又は多角筒状の主筒と、該主筒の開口を開閉する円筒状又は多角筒状の蓋筒とを備えた紙製のおみくじ及びお守り容器である。
【０００９】
本考案の２は、本考案の１に記載のおみくじ及びお守り容器において、前記主筒を前記蓋筒で閉じた後の前記おみくじ及びお守り容器の高さが１０ｃｍ以下、底面の面積が２平方ｃｍ以下であることを特徴とするおみくじ及びお守り容器である。
【００１０】
本考案の３は、本考案１又は２に記載のおみくじ及びお守り容器の主筒と蓋筒は、和紙で装飾が施されていることを特徴とするおみくじ及びお守り容器である。
【考案の効果】
【００１１】
本考案の１の円筒状おみくじ及びお守り容器によれば、おみくじやお守りに含まれる立体的な小物を保護し、形状を保つことができる。また、おみくじに含まれる託宣が記載されている紙を丸めて収納することができるため、折り目を少なくでき、託宣を読みやすくすることができる。それにより、おみくじに含まれる託宣が記載されている紙を神社境内の木などに結ばずに、小物と共に容器に入れて持ち帰らせる効果があり、その結果、神社境内のごみの量を減らすことができる。円筒状又は多角筒状の容器は、円、三角形、四角形、五角形など、それぞれの形に対応した縁起のよい意味（例えば円と縁、五角と合格）と結びつけて販売することで、参拝者の購買意欲を高めることができる。さらに、紙製であるため、手頃な値段で提供することができる。
【００１２】
本考案の２のおみくじ及びお守り容器によれば、おみくじ及びお守り容器の高さが１０ｃｍ以下、底面の面積が２平方ｃｍ以下と充分、小型であるため、鞄などに入れても邪魔にならず携帯性がよい。
【００１３】
本考案の３のおみくじ及びお守り容器によれば、おみくじ及びお守り容器の主筒と蓋筒が華やかな和紙で装飾が施されていることから、美観に優れ、さらに参拝者の購買意欲を高めることができる。
【図面の簡単な説明】
【００１４】
【図１】本考案のおみくじ及びお守り容器の例を示す模式図である。
【図２】本考案の一実施例であるおみくじ及びお守り容器の構造と使用例を示す模式図である。
【考案を実施するための形態】
【００１５】
以下、本考案の実施の形態（以下実施例と記す）を、図面に基づいて説明する。なお、以下の図において、共通する部分には同一の符号を付しており、同一符号の部分に対して重複した説明を省略する。
【００１６】
図１は、本考案のおみくじ及びお守り容器の例を示す模式図である。図１（Ａ）は、有底の円筒状の容器であり、図１（Ｂ）〜（Ｄ）は、有底の多角筒状の容器であり、それぞれ（Ｂ）三角形、（Ｃ）四角形、（Ｄ）五角形状の筒状容器である。本実施例では、多角筒状の容器の例として三角形〜五角形状の筒状容器を示しているが、これらに限定されず、六角形以上の多角筒状の容器としてもよい。
【００１７】
図１（Ａ）に示すように、円筒状容器１０は、円筒状の主筒１１と、その主筒の開口を開閉する円筒状の蓋筒１２から構成される。また、図１（Ｂ）〜（Ｄ）に示すように、多角筒状容器２０、３０、４０は、多角筒状の主筒２１、３１、４１と、その主筒の開口を開閉する多角筒状の蓋筒２２、３２、４２から構成される。外観上、主筒１１、２１、３１、４１と、蓋筒１２、２２、３２、４２の縦方向の長さの比は、１：１から２：１程度である。
【００１８】
円筒状容器１０と多角筒状容器２０、３０、４０は、共に紙製であるが、強度が高く壊れにくいように構成されている。例えば、円筒状容器１０は、いわゆるスパイラル紙管と呼ばれており、段ボールや新聞紙などの古紙を再生した薄い紙を、円筒軸に螺旋状に何層も巻き上げて筒状にしているため、強度が高くなっている。
【００１９】
本実施例のおみくじ及びお守り容器１０〜４０は、主筒１１〜４１を蓋筒１２〜４２で閉じた後の全体の高さが１０ｃｍ以下、底面の面積が２平方ｃｍ以下と小型であるため、強度が高い構成でありながらも、軽量で嵩張らず、携帯性に優れている。また、おみくじやお守りに含まれる立体的な小物（例えば、鈴や天然石）を保護し、形状を保つことができる。キーホルダー等にして持ち歩く場合と比べて、周囲の物（鞄など）を傷つけてしまう心配もない。
【００２０】
また、おみくじに含まれる託宣が記載されている紙をおみくじ及びお守り容器１０〜４０は丸めて収納することができるため、折り目を少なくでき、託宣を読みやすくすることができる。それにより、おみくじに含まれる託宣が記載されている紙を神社境内の木などに結ばずに、小物と共に容器１０〜４０に入れて持ち帰らせる効果があり、その結果、神社境内のごみの量を減らすことができる。
【００２１】
以下、おみくじ及びお守り容器の一例として、円筒状容器１０の構成と使用例を説明する。多角筒状容器２０、３０、４０についても、その構成と使用例は同様であるため、説明を省略する。
【００２２】
図２（Ａ）は、おみくじ及びお守り容器の一実施例である円筒状容器１０の外装を示す模式図である。円筒状容器１０の主筒１１の側面と蓋筒１２の側面と上面は、和紙で装飾が施されている。主筒１１の底面も和紙で装飾してもよい。日本の伝統的な模様（桜や毬など）を色刷りにした和紙で装飾を施すことにより、華やかでありながら上品な装飾となっている。和紙による装飾は、一種類ではなく、柄や色が異なるものが数種類、組み合わせてもよい。このような、華やかで上品な装飾かつ小型の円筒状容器１０は、外観がよく携帯性もよいため、参拝者の購買意欲を高めることができる。
【００２３】
本実施例では、円筒状容器１０の全長は７．２ｃｍ程度で、直径は１．５ｃｍ程度である。この大きさは、常に携帯することの多い印鑑やリップスティックと同様の大きさであり、例えばそれらと一緒に携帯することで無くす心配もなくなり、携帯性がよい。
【００２４】
図２（Ｂ）は、円筒状容器１０の内部構成を示す模式図である。前述のように、円筒状容器１０は、主筒１１と蓋筒１２から構成されるが、主筒１１は蓋筒１２と嵌合する内筒１１０を内部に有する。蓋筒１２の内側の径は、内筒１１０の外側の径と略一致し、主筒１１は蓋筒１２が隙間なく嵌るように構成されている。本実施例の円筒容器１０の構成は広く知られている構成であり、例えば卒業証書を入れる円筒容器と同様の構成である。
【００２５】
図２（Ｃ）は、円筒状容器１０の使用例を示す模式図である。円筒状容器１０は、中が見えないように、主筒１１に蓋筒１２を嵌めて、おみくじとして販売してもよいし、お守りとして販売してもよい。おみくじとして販売する場合には、例えば、図２（Ｃ）に示すように、託宣が記載されている紙５０と小物６０（例えば、水引きの細工）を主筒１１に入れて、蓋筒１２を嵌めた状態（図２（Ａ））で販売することができる。おみくじには通常のおみくじに記載されている託宣に加え、小物の説明（例えば、水引きの細工の説明）を記載することが好ましい。
【００２６】
一般におみくじで使用される託宣が記載されている紙５０は、横長（又は縦長）の長方形の形状であり、横長の場合、横方向に数回程折った後又は折らずに丸めて円筒状容器１０に収納でき、縦方向は折らずに収納することができる。従って、紙５０の折り目を少なくすることができ、託宣などの説明文が読みやすい。
【００２７】
また、円筒状容器１０をお守りとして販売する場合には、中に入れる小物（例えば小型の動物のお守り）が見えるように、円筒状容器１０と共に販売してもよいし、別のお守りを収納するお守り入れとして円筒状容器１０だけを販売してもよい。同様に、別のおみくじを収納するおみくじ入れとして、円筒状容器１０だけを販売してもよい。
【００２８】
以上、図２を用いておみくじ及びお守り容器が円筒状容器１０の場合について説明してきたが、多角筒状容器２０、３０、４０についても、その構成や装飾、使用方法は同様である。さらに、円筒状容器１０の円の形状、多角筒状容器２０、３０、４０の三角形や四角形、五角形などの形状と関連した縁起のよい意味（例えば、円は縁、五角は合格）と結びつけて販売すれば、参拝者の購買意欲を更に高めることができる。
【００２９】
以上、説明してきたように、本考案のおみくじ及びお守り容器は、おみくじやお守りに含まれる立体的な小物を保護でき、小型で携帯性や美観に優れ、かつ手頃な値段で提供することができる。
【００３０】
なお、上述した実施例のおみくじ及びお守り容器は一例であり、その構成や外観の図柄、形状等は、考案の趣旨を逸脱しない範囲で、適宜変更可能である。
【符号の説明】
【００３１】
１０，２０，３０，４０…おみくじ及びお守り容器、１１，２１，３１，４１…主筒
１２，２２，３２，４２…蓋筒、５０…託宣が記載されている紙、６０…小物、１１０…内筒。
【図１】
0003192563.tif 000003
【図２】
0003192563.tif 000004